(57)【要約】【課題】小型で且つ片手での脱毛処理を行い得て、しかも、利用勝手を拡大し、汎用性を向上することができる脱毛器を提供する。【解決手段】円筒状のシリンダー１１と、シリンダー１１の内部を貫通し且つ同軸上で変位可能なロッド１２と、シリンダー１１の一端とロッド１２の一端とに両端がそれぞれ支持された伸縮可能なコイルスプリング状の脱毛処理部１３と、を備えている。【選択図】      図１
2010259686.tif 000002
【特許請求の範囲】
【請求項１】
円筒状のシリンダーと、該シリンダーの内部を貫通し且つ同軸上で変位可能なロッドと、前記シリンダーの一端と前記ロッドの一端とに両端がそれぞれ支持された伸縮可能なコイルスプリング状の脱毛処理部と、を備えていることを特徴とする脱毛器。
【請求項２】
前記シリンダーの他端に設けられた支持フランジと、前記ロッドの他端に設けられた操作フランジと、を備え、前記支持フランジで前記シリンダーを支えつつ前記操作フランジを押し込むことによって前記シリンダーの一端から前記ロッドの一端が伸長すると同時に前記脱毛処理部が付勢に抗して伸長し、前記操作フランジの押し込みを解除すると前記脱毛処理部の復帰力によって前記シリンダーの一端から前記ロッドの一端が収縮すると同時に前記脱毛処理部が収縮して人毛挟み込み状態となることを特徴とする請求項１に記載の脱毛器。
【発明の詳細な説明】
【技術分野】
【０００１】
本発明は、コイルスプリング状の脱毛処理部の伸縮を利用し、その伸長時に脱毛処理部間に人毛等を位置させ、その収縮時に脱毛処理部間に人毛を挟み込んだ後、その挟み込んだ人毛を引き抜くことによって脱毛処理を行う脱毛器に関する。
【背景技術】
【０００２】
従来から、コイルスプリングの伸縮を利用し、その伸長時にコイルスプリング間に人毛等を位置させ、その収縮時にコイルスプリング間に人毛を挟み込んだ後、その挟み込んだ人毛を引き抜くことによって脱毛処理を行う脱毛器が知られている（例えば、特許文献１，２参照。）。
【０００３】
例えば、特許文献１には、コイルスプリングの両端に操作部を設け、この両端の操作部を操作してコイルスプリングを屈曲させることで部分的な伸長を発生させ、その伸長時にコイルスプリング間に人毛等を位置させ、その収縮時にコイルスプリング間に人毛を挟み込んだ後、その挟み込んだ人毛を引き抜くことによって脱毛処理を行う脱毛器が開示されている。
【０００４】
また、特許文献２には、ボルト又はリベットで結合される一対のアームからなるグリップハンドルと、このグリップハンドルの一端間に架設されたコイルスプリングとを備え、グリップハンドルを握持力を強めることでグリップハンドルの一端間が離間してコイルスプリングが伸長し、その伸長時にコイルスプリング間に人毛等を位置させ、グリップハンドルの握持力を弱めることでグリップハンドルの一端間が接近してコイルスプリングが収縮し、その収縮時にコイルスプリング間に人毛を挟み込んだ後、その挟み込んだ人毛を引き抜くことによって脱毛処理を行う脱毛器が開示されている。
【先行技術文献】
【特許文献】
【０００５】
【特許文献１】米抄２００２／１２８６６４号公報
【特許文献２】米抄２００４／０８７９７３号公報
【発明の概要】
【発明が解決しようとする課題】
【０００６】
ところが、上記の如く構成された脱毛器にあっては、例えば、特許文献１に開示の脱毛器にあっては、コイルスプリングの屈曲部分でしか脱毛処理を施すことができないため、実際のコイルスプリングの長さに対して脱毛範囲が狭いという問題があるうえ、その両端で操作するために、利用勝手も限定されてしまうという問題が生じていた。
【０００７】
また、特許文献２に開示の脱毛器にあっては、装置が大型であるばかりでなく、限定された部位での脱毛処理には不向きである等、利用勝手も限定されてしまうという問題が生じていた。
【０００８】
そこで、本発明は、上記事情を考慮し、小型で且つ片手での脱毛処理を行い得て、しかも、利用勝手を拡大し、汎用性を向上することができる脱毛器を提供することを目的とする。
【課題を解決するための手段】
【０００９】
本発明の脱毛器は、円筒状のシリンダーと、該シリンダーの内部を貫通し且つ同軸上で変位可能なロッドと、前記シリンダーの一端と前記ロッドの一端とに両端がそれぞれ支持された伸縮可能なコイルスプリング状の脱毛処理部と、を備えていることを特徴とする。
【００１０】
この際、前記シリンダーの他端に設けられた支持フランジと、前記ロッドの他端に設けられた操作フランジと、を備え、前記支持フランジで前記シリンダーを支えつつ前記操作フランジを押し込むことによって前記シリンダーの一端から前記ロッドの一端が伸長すると同時に前記脱毛処理部が付勢に抗して伸長し、前記操作フランジの押し込みを解除すると前記脱毛処理部の復帰力によって前記シリンダーの一端から前記ロッドの一端が収縮すると同時に前記脱毛処理部が収縮して人毛挟み込み状態とするのが好ましい。
【発明の効果】
【００１１】
本発明の脱毛器は、小型で且つ片手での脱毛処理を行い得て、しかも、利用勝手を拡大し、汎用性を向上することができる。
【図面の簡単な説明】
【００１２】
【図１】本発明の一実施形態に係る脱毛器を示し、（Ａ）は脱毛処理部収縮状態の脱毛器の正面図、（Ｂ）は脱毛処理部伸長状態の脱毛器の正面図である。
【図２】本発明の一実施形態に係る脱毛器を示し、脱毛処理部伸長状態の脱毛器の断面図である。
【発明を実施するための形態】
【００１３】
図において、脱毛器１０は、円筒状のシリンダー１１と、シリンダー１１の内部を貫通し且つ同軸上で変位可能なロッド１２と、シリンダー１１の一端とロッド１２の一端とに両端がそれぞれ支持された伸縮可能なコイルスプリング状の脱毛処理部１３と、を備えている。
【００１４】
シリンダー１１は、アルミ等の比較的軽量又はステンレス等の比較的頑丈な金属、あるいは、アクリル等の樹脂から構成されており、本実施の形態においては、その外径は約５ｍｍ、その内径は約３ｍｍ、その長さは約３０ｍｍである。また、シリンダー１１の一端には、その外径を細くすることによってコイルスプリング状の脱毛処理部１３の一端を固定状態で保持している。さらに、シリンダー１１の他端には、アルミ等の比較的軽量又はステンレス等の比較的頑丈な金属、あるいは、アクリル等の樹脂から構成された支持フランジ１４が設けられている。
【００１５】
ロッド１２は、アルミ等の比較的軽量又はステンレス等の比較的頑丈な金属、あるいは、アクリル等の樹脂から構成されており、本実施の形態においては、その直径はシリンダー１１の内径と同じかそれよりも細く設定され、その長さは約９０ｍｍである。また、ロッド１２の一端には、ネジ１５が螺合されており、そのネジ頭部によってコイルスプリング状の脱毛処理部１３の他端を支持している。さらに、ロッド１２の他端には、アルミ等の比較的軽量な金属、あるいは、アクリル等の樹脂から構成された操作フランジ１６が設けられている。
【００１６】
脱毛処理部１３は、常時は伸縮方向に付勢設定されたコイルスプリングが用いられており、その線材径は０．５ｍｍ、収縮時の長さは約２５ｍｍ、である。尚、線材の材質自体は、特に限定されるものではないが、防錆性を備えた金属若しくはコーティング処理を施すのが好ましい。この際、所謂抗菌コート処理を施すことも可能である。
【００１７】
上記の構成において、脱毛器１０は、例えば、脱毛処理部１３を寝かした状態で眉毛のライン等の所望の人毛に沿わせ、注射器を操作する要領の片手操作により、支持フランジ１４でシリンダー１１を支えつつ操作フランジ１６を押し込むことによってシリンダー１１の一端からロッド１２の一端が伸長すると同時に脱毛処理部１３が付勢に抗して伸長する。
【００１８】
これにより、脱毛処理部１３の各線材間に隙間ができるため、その隙間に余分な人毛を位置させた状態とすることができる。
【００１９】
そして、この状態から操作フランジ１６の押し込みを解除すると、脱毛処理部１３の復帰力によってシリンダー１１の一端からロッド１２の一端が収縮すると同時に脱毛処理部１３が収縮し、脱毛処理部１３の各線材間が密着して人毛挟み込み状態とすることができる。
【００２０】
したがって、このまま脱毛器１０の全体を、人毛の生えている方向に沿って、あるいは、逆方向に移動することで挟み込んだ人毛を抜き取ることができる。
【００２１】
このように、脱毛処理部１３を狙った人毛に沿わせた状態で、単にシリンダー１１を伸縮させて人毛を挟み込むだけで、人毛の抜き取りが可能となる。
【００２２】
尚、本発明の脱毛器１０は、片手操作が可能な軸状の構成を採用していることから、例えば、眉毛のラインからはみ出した１本〜数本の人毛や、耳・鼻の内部の人毛等を引き抜く場合には、脱毛処理部１３を斜め若しくは縦とし、脱毛処理部１３の先端付近又は先端を狙った人毛に沿わせた状態で、単にシリンダー１１を伸縮させて人毛を挟み込むだけで、限定的な範囲や部位の脱毛処理を行うことができる。
【００２３】
このように、本発明に係る脱毛器１０によれば、脱毛器１０を横向きとして脱毛処理部１３の全体を利用した脱毛処理と、脱毛器１０を斜め又は縦向きとして脱毛処理部１３の一部を利用した１本〜数本の脱毛処理（あるいは、耳かき処理）とを行うことができ、小型で且つ片手での脱毛処理を行い得て、しかも、利用勝手を拡大し、汎用性を向上することができる。
【００２４】
また、先端構造が尖っていないため安全性が確保され、ロッド１２の外径を脱毛処理部１３の内径よりも小径とすることにより、脱毛処理部１３にしなりを発生させることが可能となり、顔等の表面形状への追従（フィット）を実現することができる。
【符号の説明】
【００２５】
１０…脱毛器
１１…シリンダー
１２…ロッド
１３…脱毛処理部
１４…支持フランジ
１５…ネジ
１６…操作フランジ
【図１】
2010259686.tif 000003
【図２】
2010259686.tif 000004